(57)【要約】      （修正有）【課題】バネの張力により物品を挟んで保持する挟持機構をもちいて、実験室や研究室等で様々な試料、実験器具等を保持するのに利用できる汎用の挟持治具を提供する。【解決手段】挟持治具は、平板状のベース板１０と、該ベース板の一方の面に配置され第一の方向に間隔をあけて第一の方向と直交する第二の方向に延びる一対の挟持板２０ａ、２０ｂと、一対の挟持板に個別に対応して一対の挟持板を互いに相寄る方向に付勢する一対の付勢手段とで構成され、ベース板は厚さ方向に貫通する複数の開口１１ａ、１１ｂを含み、一対の挟持板は挟持面２１ａ、２１ｂを対向させて相寄り相離れる方向に摺動可能であり、一対の付勢手段はベース板の他方の面に配置されて一対の挟持板と開口を通して連結されており、ベース板は他方の面に複数のスペーサ部１３を備えている。【選択図】図１
0003230478.tif 000002
【実用新案登録請求の範囲】
【請求項１】
物品を挟んで保持する汎用の挟持治具において、
該挟持治具は、平板状のベース板と、該ベース板の一方の面に配置され第一の方向に間隔をあけて第一の方向と直交する第二の方向に延びる一対の挟持板と、該一対の挟持板に個別に対応して前記一対の挟持板を互いに相寄る方向に付勢する一対の付勢手段とで構成され、
前記ベース板は厚さ方向に貫通する複数の開口を含み、該一対の挟持板は挟持面を対向させて相寄り相離れる方向に摺動可能であり、前記一対の付勢手段は前記ベース板の他方の面に配置されて前記一対の挟持板と前記開口を通して連結されており、前記ベース板は他方の面に複数のスペーサ部を備えていることを特長とする挟持治具。
【請求項２】
前記開口は第一の方向に延びる長穴であることを特長とする請求項１の挟持治具。
【請求項３】
前記付勢手段は引張コイルバネであることを特長とする請求項２の挟持治具。
【請求項４】
前記ベース板の他方の面側にマグネットベースを備えることを特長とする請求項３の挟持治具。
【考案の詳細な説明】
【考案の詳細な説明】
【技術分野】
【０００１】本考案は、バネの張力により物品を挟んで保持する挟持機構を用いて、実験室や研究室等で様々な試料、実験器具等を保持するのに利用できる汎用の挟持治具に関するものである。
【背景技術】
【０００２】バネの張力を利用して物品を挟み込む挟持機構は、様々な製品、装置において材料、物品、試料等を保持するために利用され、また単独の物品保持装置としても製品化されている。圧縮コイルバネ、引張コイルバネ、ねじりコイルバネ、板バネ等を使用した挟持機構が数多く開示されている。
しかし、それらの挟持機構、製品はあくまで挟持される物品が特定されておりその物品の形状、サイズに合わせた機構、製品がほとんどであり、汎用に使えるものはバネを使用しない万力のようなネジの締め付けによる挟持機構になるが、物品を挟み込むためにネジの締め付け緩めをしなくてはならず不便である。【０００３】特許文献１は、引張コイルバネを使用した挟持機構を開示しているが、この装置は対向した一対のホルダーを引張コイルバネの張力で相寄る方向に引っ張り特定サイズの包装紙箱を挟み込むものであり汎用としては使用できない。
【先行技術文献】
【特許文献】
【０００４】
【特許文献１】実開平６−６９１３８号公報
【考案の概要】
【考案が解決しようとする課題】
【０００５】本考案は、研究者、技術者が机上、作業台上で実験、試作等を行う際に探針、フイルム、紙のような微細なものからシャーレ、試験管、ビーカのような大きなものまでの試料、実験器具、治工具等を容易に保持できる汎用の挟持治具を提供することにある。
【課題を解決するための手段】
【０００６】物品を挟んで保持する汎用の挟持治具において、該挟持治具は、平板状のベース板と、該ベース板の一方の面に配置され第一の方向に間隔をあけて第一の方向と直交する第二の方向に延びる一対の挟持板と、前記一対の挟持板に個別に対応して前記一対の挟持板を互いに相寄る方向に付勢する一対の付勢手段とで構成され、前記ベース板は厚さ方向に貫通する複数の開口を含み、該一対の挟持板は挟持面を対向させて相寄り相離れる方向に摺動可能であり、前記一対の付勢手段は前記ベース板の他方の面に配置されて前記一対の挟持板と前記開口を通して連結されており、前記ベース板は他方の面に複数のスペーサ部を備えている。
前記開口は第一の方向に延びる長穴であっても良いし、前記付勢手段は引っ張りコイルバネであっても良い。
付勢手段が一対の挟持板と同じ面にないことで、ベース板面を広く物品の載置面とすることができる。各々の挟持板が付勢手段を個別に備えているので挟み込む物品のサイズが小さなものでも強い張力で保持することが可能になる。
【考案の効果】
【０００７】本考案の挟持治具は、物品を挟む一対の挟持板がベース板の一方の面に配置され、付勢手段がベース板の他方の面に配置されており、付勢手段が挟持板の摺動を妨げることがなくベース板面を最大限広く使用して物品を挟むことができるので針のような小さな物品からベース板サイズの大きな物品まで幅広いサイズの物品を保持することができる。
【図面の簡単な説明】
【００８】
【図１】本考案の挟持治具の斜視図
【図２】挟持治具の上面図
【図３】挟持治具の下面図
【図４】図２におけるＡ―Ａ断面図
【図５】図２におけるＢ―Ｂ断面図
【図６】他の実施例の斜視図
【図７】物品を挟持したところを示す上面図
【図８】物品を挟持して角度を振ったところを示す上面図
【図９】挟持面の他の実施例を示す上面図
【図１０】付勢手段の他の実施例を示す下面図
【考案を実施するための最良の形態】
【００９】本考案の挟持治具１は、図１の斜視図に示す通り平板状のベース板１０の一方の面１５（図１での上面）に一対の挟持板２０ａ、２０ｂが配置されている。一対の挟持板２０ａ、２０ｂは各々の挟持面２１ａ、２１ｂを対向させて第一の方向（図１では、Ｘ軸方向）に間隔をあけて第一の方向と直交する第二の方向（図１では、Ｙ軸方向）に延びて配置されている。一対の挟持板２０ａ、２０ｂは、互いに相寄り相離れる方向（図１では、Ｘ軸方向）に摺動可能であり、相寄ることによりベース板１の上面に搭載された物品を挟持面２１ａ、２１ｂの間に挟んで保持し、相離れることにより保持を開放する。少なくともベース板１０の上面１５は挟持板２０ａ、２０ｂの摺動を妨げないフラットな面とされる。図では、理解し易いように挟持面２１ａ、２１ｂの間は離間しているが、最も相寄る位置にあるとき接していても良くまた離間していても良い。【００１０】ベース板１０は、矩形の外形をもつがその他の多角形でも良く、円形、楕円形でも良い。一対の挟持板２０ａ、２０ｂは対称形であるが、対称形でなくとも良く、大きさの異なるものであっても良い。実施例での挟持板２０ａ、２０ｂはＬ字状の断面を有する形状であるが、四角形、半円形、多角形の断面を有する形状でも良く、各々が違った断面形状を有するものでも良い。
ベース板１０と挟持板２０ａ、２０ｂは樹脂材、金属、木材等を材質として製作することができる。【００１１】図２、３、４、５をもって説明すると、ベース板１０の他方の面１６（図１での下面）には一対の挟持板２０ａ、２０ｂに個別に対応する一対の付勢手段である引張コイルバネ３０ａ、３０ｂが各２本配置されている。引張コイルバネ３０ａ、３０ｂは各々２本がＹ軸方向に平行に間隔をあけてＸ軸方向に延びて設けられており、外側の２本の引張コイルバネ３０ａは挟持板２０ａに対応し、内側の２本の引張コイルバネ３０ｂは挟持板２０ｂに対応して、それぞれ対応する挟持板２０ａ、２０ｂをその張力により互いに相寄る方向に付勢している。【００１２】ベース板１０には、上面１５から下面１６に厚さ方向に貫通する複数の開口である４本の長穴１１ａ、１１ｂがＹ軸方向に平行に間隔をあけてＸ軸方向に延びて設けられている。外側の２本の長穴１１ａは挟持板２０ａに対応し、内側の２本の長穴１１ｂは挟持板２０ｂに対応しており、その長穴１１ａ、１１ｂを通して上面１５に配置された一対の挟持板２０ａ、２０ｂと下面１６に設けられた引張コイルバネ３０ａ、３０ｂが連結されている。２個の長穴１１ａは対応する挟持板２０ａが配置された側に設けられ、２個の長穴１１ｂは対応する挟持板２０ｂが配置された側に設けられている。【００１３】各々の挟持板２０ａ、２０ｂの底面には各２本のガイドピン３１ａ、３１ｂが対応する長穴１１ａ、１１ｂを貫通して取り付けられている。ガイドピン３１ａ、３１ｂは金属の丸棒材で製作されており、その直径は各長穴１１ａ、１１ｂの幅寸法よりも小さい。そのことにより各ガイドピン３１ａ、３１ｂは対応する長穴１１ａ、１１ｂを長手方向（Ｘ軸方向）に摺動可能である。各挟持板２０ａ、２０ｂは、Ｘ軸方向およびＹ軸方向への移動を対応する長穴１１ａ、１１ｂおよびガイドピン３１ａ、３１ｂにより規制される。【００１４】各ガイドピン３１ａ、３１ｂの下端部は、長穴１１ａ、１１ｂを貫通してベース板１０の下面１６側に突出しており突出部分に設けられた溝部（図示なし）に各引張コイルバネ３０ａ、３０ｂの一方のフックが引掛けられて各挟持板２０ａ、２０ｂと付勢手段である各引張コイルバネ３０ａ、３０ｂは連結されている。各引張コイルバネ３０ａ、３０ｂの他方のフックは、ベース板１０の下面１６に取り付けられたフックピン３２ａ、３２ｂに引掛けられている。挟持板２０ａに対応する２本のフックピン３２ａは、ベース板１０の下面１６の挟持板２０ｂ側の端部に、挟持板２０ｂに対応する２本のフックピン３２ｂは、ベース板１０の下面１６の挟持板２０ａ側の端部に取り付けられている。フックピン３２ａ、３２ｂもガイドピン３１ａ、３１ｂと同様に金属の丸棒材で製作されており、その下端部にフックを引掛ける溝部を備えベース板１０の下面１６にネジ止めあるいは接着剤等で固定されている。各引張コイルバネ３０ａ、３０ｂは一対の挟持板２０ａ、２０ｂが最も相寄る位置にあるときにも張力が発生する状態でガイドピン３１ａとフックピン３２ａの間に、およびガイドピン３１ｂとフックピン３２ｂとの間に配置されている。【００１５】図では各長穴１１ａ、１１ｂ、各引張コイルバネ３０ａ、３０ｂがＸ軸方向に一直線に配置されているが、必ずしも一直線上でなくとも良い。例えば図１０に示す通り、引張コイルバネ３０ａ、３０ｂをＸ軸方向に少し角度を振ってハの字状に配置しても良い。また、開口は長穴でなくとも良く、矩形の開口を設けてその対向する内端面をガイドとしても良い。長穴は４個の長穴を設けたが、２個の長穴を共通で使用するようにしても良い。
実施例では付勢手段として引張コイルバネを用いているが、圧縮コイルバネを用いてガイドピンに付勢力を与える構造としても良い。【００１６】ベース板１０は、その下面１６にスペーサ部としての２個のスペーサ１３が取り付けられベース板１０の上面１５からスペーサ１３の下面まで貫通する貫通穴１２が設けられている。スペーサ１３は、引張コイルバネ３０ａ、３０ｂの動きを妨げない高さをもち挟持治具１をテーブル、筐体等に設置するときに貫通穴１２を用いてネジで固定することができる。スペーサ１３はネジ止め、接着剤等で下面１６に固定することができるが、固定されていなくても良く、ベース板１０と一体で製作されても良い。実施例ではスペーサ１３が２個であるが、ベース板１０の４角に設けても良く３箇所に設けても良く、その形状、個数に拘るものではない。【００１７】図６は、挟持治具１の他の実施例を示す説明図である。挟持治具８０は、ベース板１０の下面（他方の面）側にマグネットベース４０を備えており、挟持治具８０を着磁性の面に固定できるようにしたものである。マグネットベース４０は、ベース板１０と同様の固定板４１の下面にマグネットラバー４２を備えており、固定ネジ１４がベース板１０、スペーサ１３に設けられた貫通穴１２を貫通して固定板４１にネジ止めされることでベース板１０の下面側に固定されている。挟持治具８０は、その底面にマグネットラバー４２を備えているので着磁性の面に容易に固定することができ、また非着磁性の面においても安定して置くことができる。マグネットラバー４０の替りに固定板４１の下面に磁石を埋め込む等の構造でも良い。【００１８】図９は、挟持面２１ａ、２１ｂの他の実施例を示す説明図である。挟持面２１ａ、２１ｂにはゴム板６０ａ、６０ｂが接着剤等で貼られており物品９０を安定して保持することができるので、挟持板２０ａ、２０ｂが寸法の小さなフイルム、探針、割れやすいガラスの容器等を挟んで保持することを容易にする。ゴム板としては、ウレタンゴム、クロロブレンゴム、シリコーンゴム等を使用することができる。【００１９】図７に本考案の挟持治具１、８０において物品９０を保持した状態の上面図を示す。図では長尺の物品９０は挟持板２０ａ、２０ｂに挟まれてベース板１０のほぼ中心軸上に保持されている。２本の引張コイルバネ３０ａが挟持板２０ａを引っ張る張力と２本の引張コイルバネ３０ｂが挟持板２０ｂを引っ張る張力とが中心線付近で拮抗することで物品９０の保持は安定する。しかし、各長穴１１ａ、１１ｂの幅寸法は各ガイドピン３１ａ、３１ｂの直径よりも大きく遊びがあるので、物品９０を挟持板２０ａ、２０ｂで保持した状態で図８に示すようにＹ軸に対してθ分だけ角度を振ることが可能である。角度を振った場合でも挟持板２０ａ、２０ｂの底面とベース板１０の上面との摩擦抵抗および長穴１１ａ、１１ｂの内側面とガイドピン３１ａ、３１ｂとの摩擦抵抗により物品の保持は角度を保った状態で安定する。
【産業上の利用可能性】
【００２０】本考案の挟持治具は、研究室、実験室等で研究者、技術者が実験治具、器具、試料を保持する際に使用することができる。また、事務所、家庭内で小物品を保持固定することに利用することができる。
【符号の説明】
【００２１】１  ８０  挟持治具
１０  ベース板
１１ａ  １１ｂ  長穴
１２  貫通穴
１３  スペーサ
１４  固定ネジ
１５  上面（一方の面）
１６  下面（他方の面）
２０ａ  ２０ｂ  挟持板
２１ａ  ２１ｂ  挟持面
３０ａ  ３０ｂ  引張コイルバネ
３１ａ  ３１ｂ  ガイドピン
３２ａ  ３２ｂ  フックピン
４０  マグネットベース
４１  固定板
４２  マグネットラバー
６０ａ  ６０ｂ  ゴム板
９０  物品
【図１】
0003230478.tif 000003
【図２】
0003230478.tif 000004
【図３】
0003230478.tif 000005
【図４】
0003230478.tif 000006
【図５】
0003230478.tif 000007
【図６】
0003230478.tif 000008
【図７】
0003230478.tif 000009
【図８】
0003230478.tif 000010
【図９】
0003230478.tif 000011
【図１０】
0003230478.tif 000012